(57)【要約】【課題】文書を登録する場合に、その文書に属性を付与する利用者にかかる負荷を軽減するようにした文書処理装置を提供する。【解決手段】文書処理装置の利用者抽出手段は、利用者を特定する利用者識別子を抽出し、日時取得手段は、現在の日時を取得し、文書特定手段は、前記利用者抽出手段によって取得された利用者識別子と前記日時取得手段によって取得された日時に基づいて、前記利用者が処理することと予定されている文書を特定し、属性抽出手段は、前記文書特定手段によって取得された文書の属性を抽出し、文書受付手段は、文書を受け付け、属性付与手段は、前記文書受付手段によって受け付けられた文書に、前記属性抽出手段によって抽出された属性を付与する。【選択図】図１
2010152780.tif 000002
【特許請求の範囲】
【請求項１】
利用者を特定する利用者識別子を抽出する利用者抽出手段と、
現在の日時を取得する日時取得手段と、
前記利用者抽出手段によって取得された利用者識別子と前記日時取得手段によって取得された日時に基づいて、前記利用者が処理することと予定されている文書を特定する文書特定手段と、
前記文書特定手段によって取得された文書の属性を抽出する属性抽出手段と、
文書を受け付ける文書受付手段と、
前記文書受付手段によって受け付けられた文書に、前記属性抽出手段によって抽出された属性を付与する属性付与手段
を具備することを特徴とする文書処理装置。
【請求項２】
前記利用者が利用している文書登録装置の設置場所を取得する設置場所取得手段
をさらに具備し、
前記文書特定手段は、
さらに前記設置場所取得手段によって取得された設置場所に基づいて、前記利用者が処理することと予定されている文書を特定する
ことを特徴とする請求項１に記載の文書処理装置。
【請求項３】
前記文書特定手段は、
前記設置場所取得手段によって取得された設置場所が予め定められた場所である場合は、前記利用者抽出手段によって取得された利用者識別子と前記日時取得手段によって取得された日時に基づいて、前記利用者が処理することと予定されている文書を特定する
ことを特徴とする請求項２に記載の文書処理装置。
【請求項４】
利用者識別子と該利用者識別子によって特定される利用者が行うべき活動と該活動の予定日時と文書を対応させて記憶する活動予定記憶手段
をさらに具備し、
前記文書特定手段は、
前記利用者抽出手段によって取得された利用者識別子と前記日時取得手段によって取得された日時と予め定められた関係にある予定日時に対応付けられて前記活動予定記憶手段に記憶されている文書を抽出して、該利用者が処理することと予定されている文書を特定する
ことを特徴とする請求項１に記載の文書処理装置。
【請求項５】
利用者と該利用者が行うべき活動と該利用者が利用する設備と該設備が設置されている場所と該設備を利用する予定日時を対応させて記憶する設備予定記憶手段
をさらに具備し、
前記文書特定手段は、
前記利用者抽出手段によって取得された利用者識別子と前記日時取得手段によって取得された日時と予め定められた関係にある予定日時に対応付けられて前記設備予定記憶手段に記憶されている設備の場所が、前記設置場所取得手段によって取得された設置場所と合致する場合は、該設備の場所に対応している活動と前記利用者抽出手段によって取得された利用者識別子と前記日時取得手段によって取得された日時と予め定められた関係にある予定日時に対応付けられて前記活動予定記憶手段に記憶されている文書を抽出して、該利用者が処理することと予定されている文書を特定する
ことを特徴とする請求項４に記載の文書処理装置。
【請求項６】
コンピュータを、
利用者を特定する利用者識別子を抽出する利用者抽出手段と、
現在の日時を取得する日時取得手段と、
前記利用者抽出手段によって取得された利用者識別子と前記日時取得手段によって取得された日時に基づいて、前記利用者が処理することと予定されている文書を特定する文書特定手段と、
前記文書特定手段によって取得された文書の属性を抽出する属性抽出手段と、
文書を受け付ける文書受付手段と、
前記文書受付手段によって受け付けられた文書に、前記属性抽出手段によって抽出された属性を付与する属性付与手段
として機能させることを特徴とする文書処理プログラム。
【発明の詳細な説明】
【技術分野】
【０００１】
本発明は、文書処理装置及び文書処理プログラムに関する。
【背景技術】
【０００２】
近年、財務内部統制が求められている。その財務内部統制とは、１９９２年にＣＯＳＯ（トレッドウェイ委員会組織委員会）が発表した「内部統制−統合的枠組み」が、事実上の標準となっており、「（１）業務の有効性・効率性、（２）財務諸表の信頼性、（３）関連法規の遵守の３つの目的を達成するために、合理的な保証を提供することを意図した、取締役会、経営者及びその他の職員によって遂行される一つのプロセス」と定義されている。
また、財務内部統制（以下、内部統制ともいう）において、活動の成果としての文書を保存しておかなければならないという必要性が生じる。文書を保存（登録）するのに、文書管理システムが活用される。その文書管理システムに文書を登録する際に、後で検索するために属性を付与して登録する必要がある。通常は付与する属性を手入力したり、ある程度の雛形を用意して、それを選択して属性付与に利用することが行われている。
【０００３】
これに関連する技術として、例えば、特許文献１には、スケジュールとその関連文書とを同一のシステムで適切かつ簡便に管理することを課題とし、メンバのスケジュールを登録して管理するスケジュール管理システムにおいて、スケジュールデータに付与されたスケジュールＩＤと、スケジュールデータに関連する文書データに付与された文書ＩＤとを対応付けて管理するデータ処理手段を備えたことが開示されている。
【０００４】
また、例えば、特許文献２には、ボックス機能を有する画像形成装置等の文書蓄積装置が複数台設置されているオフィス等であっても、ユーザが文書をどの画像形成装置のボックスに蓄積させたらよいか迷うことがなく、使い勝手のよい文書管理システム等を提供することを課題とし、複数の文書蓄積装置とサーバ装置とがネットワークを介して接続された文書管理システムであり、各文書蓄積装置は、各種の情報を区分けして蓄積するボックスと、ボックスに文書を蓄積する文書蓄積手段を備え、サーバ装置は、文書の蓄積要求を受け付けると、蓄積要求に係る文書に関する情報と、文書蓄積装置に関する情報と、文書蓄積装置のボックスの情報のうちのいずれか１つ以上の情報に基づいて、前記文書を実際に蓄積する文書蓄積装置とボックスを決定し、その文書を、決定されたボックスを有する文書蓄積装置に送信し前記ボックスに蓄積させることが開示されている。
【特許文献１】特開２０００−３１５２２８号公報
【特許文献２】特開２００６−２８７８０６号公報
【発明の開示】
【発明が解決しようとする課題】
【０００５】
本発明は、文書を登録する場合に、その文書に属性を付与する利用者にかかる負荷を軽減するようにした文書処理装置及び文書処理プログラムを提供することを目的としている。
【課題を解決するための手段】
【０００６】
かかる目的を達成するための本発明の要旨とするところは、次の各項の発明に存する。
請求項１の発明は、利用者を特定する利用者識別子を抽出する利用者抽出手段と、現在の日時を取得する日時取得手段と、前記利用者抽出手段によって取得された利用者識別子と前記日時取得手段によって取得された日時に基づいて、前記利用者が処理することと予定されている文書を特定する文書特定手段と、前記文書特定手段によって取得された文書の属性を抽出する属性抽出手段と、文書を受け付ける文書受付手段と、前記文書受付手段によって受け付けられた文書に、前記属性抽出手段によって抽出された属性を付与する属性付与手段を具備することを特徴とする文書処理装置である。
【０００７】
請求項２の発明は、前記利用者が利用している文書登録装置の設置場所を取得する設置場所取得手段をさらに具備し、前記文書特定手段は、さらに前記設置場所取得手段によって取得された設置場所に基づいて、前記利用者が処理することと予定されている文書を特定することを特徴とする請求項１に記載の文書処理装置である。
【０００８】
請求項３の発明は、前記文書特定手段は、前記設置場所取得手段によって取得された設置場所が予め定められた場所である場合は、前記利用者抽出手段によって取得された利用者識別子と前記日時取得手段によって取得された日時に基づいて、前記利用者が処理することと予定されている文書を特定することを特徴とする請求項２に記載の文書処理装置である。
【０００９】
請求項４の発明は、利用者識別子と該利用者識別子によって特定される利用者が行うべき活動と該活動の予定日時と文書を対応させて記憶する活動予定記憶手段をさらに具備し、前記文書特定手段は、前記利用者抽出手段によって取得された利用者識別子と前記日時取得手段によって取得された日時と予め定められた関係にある予定日時に対応付けられて前記活動予定記憶手段に記憶されている文書を抽出して、該利用者が処理することと予定されている文書を特定することを特徴とする請求項１に記載の文書処理装置である。
【００１０】
請求項５の発明は、利用者と該利用者が行うべき活動と該利用者が利用する設備と該設備が設置されている場所と該設備を利用する予定日時を対応させて記憶する設備予定記憶手段をさらに具備し、前記文書特定手段は、前記利用者抽出手段によって取得された利用者識別子と前記日時取得手段によって取得された日時と予め定められた関係にある予定日時に対応付けられて前記設備予定記憶手段に記憶されている設備の場所が、前記設置場所取得手段によって取得された設置場所と合致する場合は、該設備の場所に対応している活動と前記利用者抽出手段によって取得された利用者識別子と前記日時取得手段によって取得された日時と予め定められた関係にある予定日時に対応付けられて前記活動予定記憶手段に記憶されている文書を抽出して、該利用者が処理することと予定されている文書を特定することを特徴とする請求項４に記載の文書処理装置である。
【００１１】
請求項６の発明は、コンピュータを、利用者を特定する利用者識別子を抽出する利用者抽出手段と、現在の日時を取得する日時取得手段と、前記利用者抽出手段によって取得された利用者識別子と前記日時取得手段によって取得された日時に基づいて、前記利用者が処理することと予定されている文書を特定する文書特定手段と、前記文書特定手段によって取得された文書の属性を抽出する属性抽出手段と、文書を受け付ける文書受付手段と、前記文書受付手段によって受け付けられた文書に、前記属性抽出手段によって抽出された属性を付与する属性付与手段として機能させることを特徴とする文書処理プログラムである。
【発明の効果】
【００１２】
請求項１記載の文書処理装置によれば、文書を登録する場合に、その文書に属性を付与する利用者にかかる負荷を軽減できる。
【００１３】
請求項２記載の文書処理装置によれば、本構成を有していない場合に比較して、登録すべき文書を絞り込んで特定することができる。
【００１４】
請求項３記載の文書処理装置によれば、文書登録装置の設置場所にかかわらず、登録すべき文書を特定することができる。
【００１５】
請求項４記載の文書処理装置によれば、活動の予定日時と関係のない文書を登録すべき文書の候補とすることを抑制することができる。
【００１６】
請求項５記載の文書処理装置によれば、利用が予定されている設備と関係のない文書を登録すべき文書の候補とすることを抑制することができる。
【００１７】
請求項６記載の文書処理プログラムによれば、文書を登録する場合に、その文書に属性を付与する利用者にかかる負荷を軽減できる。
【発明を実施するための最良の形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、コンピュータ・プログラム、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。「予め定められた」とは、対象としている処理の前であることをいい、本実施の形態による処理が始まる前はもちろんのこと、本実施の形態による処理が始まった後であっても、そのときの状況・状態に応じて、又はそれまでの状況・状態に応じて定まることの意を含めて用いる。
【００１９】
本実施の形態は、内部統制に用いられることが好適である。
財務内部統制を行うために、活動（以下、アクティビティともいう）／システム／資源／知識情報などの関係を整理して業務プロセス（以下、単にプロセスともいう）を文書化し、その文書を活用、評価（整備評価、運用評価）等するためのシステムを構築している。
まず、文書化対象の内部統制の「基本４文書」について説明する。
基本４文書とは、内部統制の対象となる業務プロセスごとに作成される基本文書のことをいい、具体的には、業務記述書、業務フロー図、ＲＣＭ（リスク・コントロール・マトリックス）、職務分離表がある。
業務記述書は、ナラティブとも呼ばれる。取引の開始から最終的な総勘定元帳への記帳、報告へ至るまでの一連の業務の流れを文書化したものである。人事規定、経理業務規定などの規定書類は、業務記述書の上位文書であり、その改訂は、業務記述書に影響を与える。また、業務マニュアルは、業務記述書の下位文書であり、その改訂により影響を受ける。
業務フロー図とは、取引の開始から最終的な総勘定元帳への記帳、報告へ至るまでの一連の業務の流れを視覚的にフローチャート化したものである。リスクとコントロールもこの業務フロー上に配置される。
ＲＣＭとは、業務プロセスに関連する内部統制活動について、達成されるべき統制上の要点（アサーション）、想定されるリスク、対応する内部統制活動を一覧表としてまとめたものである。
職務分離表とは、業務プロセスの流れのなかで、財務統制上問題となるような、同一の担当者による処理の重複が発生していないかをチェックするためのものである。
なお、アサーションとは、財務情報が信頼性のある情報といえるための前提条件となるものであり、具体的には、実在性、網羅性、評価、権利と義務、期間／配分、表示の６項目が一般的には使用される。しかし、各社又は監査法人により一部変更つまりカスタマイズされる場合もあり、前述の６項目に限られる必要はない。
リスクとは、業務プロセス上で想定されるアサーションに対する阻害要因のことをいう。
コントロール（統制）とは、リスクに対する内部統制活動のことをいい、統制のタイプとして、防止的、発見的等がある。
また、その内部統制の文書通りに運用されているかを証跡を用いてテストする評価を実施する必要がある。したがって、この証跡は保存しておく必要がある。
【００２０】
本実施の形態で取り扱う文書とは、画像、テキストデータ、動画、音声等の電子データ、又はこれらの組み合わせであり、記憶、編集及び検索等の対象となり、システム又は利用者間で個別の単位として交換できるものをいい、これらに類似するものを含む。以下、文書として、スキャナで読み込まれる画像を主に例示して説明する。本実施の形態を内部統制に用いる場合は、文書の具体例として、前述の証跡、活動ごとの成果物である文書（活動が計画作成であればその計画書、活動が納品であればその納品書等が該当する）等がある。
また、本実施の形態の説明で日時という場合は、日のみ又は日及び時刻であってもよい。日という場合は、日のみをいう。また、日には、年月日を含めてもよい。
また、文脈に応じて利用者を担当者等という場合がある。
【００２１】
文書処理装置１００は、利用者の活動と文書の属性とを関連付けて管理し、ログインした利用者が入力した文書に対して属性を付加するものである。文書登録装置１５０は、通信回線を介して文書処理装置１００と接続されており、利用者が実際に登録業務を行うもので、ある意味クライアントであり、例えば様々な場所に複数設置（１台の設置であってもよい）されており、その設置場所と関連付けた文書の属性が付与される。
本実施の形態である文書処理装置１００は、図１の例に示すように、一覧表示モジュール１１０、文書管理モジュール１２０、文書登録モジュール１３０を有している。
また、文書登録装置１５０は、図２の例に示すように、一覧表示モジュール１６０、文書登録モジュール１７０を有している。また、文書登録装置１５０は、紙の文書をスキャナで読み取る文書読取装置を含むものであることが好適である。さらに、文書登録装置１５０は、処理結果等を表示するディスプレイ等の表示モジュール、利用者の操作を受け付けるキー、タッチパネル等のユーザインタフェースモジュール等を含んでいてもよい。
【００２２】
一覧表示モジュール１１０は、文書管理モジュール１２０によって抽出された登録すべき文書の候補を文書登録装置１５０へ転送する。そして、文書登録装置１５０の一覧表示モジュール１６０が文書の候補を受け取って、文書登録装置１５０のディスプレイへ表示する。
【００２３】
文書管理モジュール１２０は、アクティビティ定義モジュール１２１、役割定義モジュール１２２、設置場所定義モジュール１２３、案件管理モジュール１２４、設備管理モジュール１２５を有しており、これらを用いて、文書に属性を付与する。その際、文書処理装置１００を利用している利用者が、登録すべき文書を文書登録装置１５０のディスプレイに一覧表示モジュール１１０を用いて提示させ、利用者の操作によって選択された文書に属性を付与して文書登録モジュール１３０を用いて登録する。
【００２４】
アクティビティ定義モジュール１２１は、アクティビティごとに、その成果物である文書、担当役割、特定の実施場所がある場合はその場所を定義している。例えば、アクティビティ定義テーブル５００のようなテーブルで、その定義を記憶している。図５は、アクティビティ定義テーブル５００のデータ構造例を示す説明図である。アクティビティ定義テーブル５００は、アクティビティ名欄５１０、文書名欄５２０、担当役割欄５３０、実施場所欄５４０を有している。
【００２５】
アクティビティ名欄５１０は、アクティビティの名称を記憶する。
文書名欄５２０は、そのアクティビティを実施するにあたって発生する文書名を記憶する。つまり、そのアクティビティにおいて登録すべき対象の文書名である。例えば、そのアクティビティの成果物である文書が該当し、より具体的には、「依頼受理」というアクティビティでは、成果物である「評価依頼書」を登録することを示している。
【００２６】
担当役割欄５３０は、そのアクティビティを担当する役割を記憶する。例えば、「依頼受理」というアクティビティでは、それを担当する役割は「管理担当者」である。ここで記憶しているのは役割であり、具体的な担当者までは記憶していないが、担当者までを記憶するようにしてもよい。その場合、役割定義テーブル６００と結合したテーブルとなる。
実施場所欄５４０は、そのアクティビティにおいて、文書が登録される場所を記憶する。例えば、「評価」というアクティビティでは、それを実施する「評価室」である。ただし、登録する場所が想定されていない場合（どのような場所から登録されてもよい場合）は、空欄（ヌル）である。
【００２７】
役割定義モジュール１２２は、担当者個人名と役割の対応を定義している。例えば、役割定義テーブル６００のようなテーブルで、その定義を記憶している。図６は、役割定義テーブル６００のデータ構造例を示す説明図である。役割定義テーブル６００は、担当者名欄６１０、役割欄６２０を有している。
担当者名欄６１０は、担当者個人名を記憶する。その担当者を特定できる担当者識別子を記憶するようにしてもよい。
役割欄６２０は、役割を記憶する。また、１つの役割に複数人がいる場合は、役割欄６２０には同じ役割が複数記憶されることになる。
【００２８】
設置場所定義モジュール１２３は、文書登録装置１５０のＩＰアドレスと設置場所の対応を定義している。文書登録装置１５０の設置場所は、文書登録装置１５０のＩＰアドレスをもとに判断される。例えば、設置場所定義テーブル７００のようなテーブルで、その定義を記憶している。図７は、設置場所定義テーブル７００のデータ構造例を示す説明図である。設置場所定義テーブル７００は、ＩＰアドレス欄７１０、設置場所欄７２０を有している。なお、設置場所欄７２０が空欄のＩＰアドレスが「ｘｘｘ．ｘｘｘ．０．１３」である文書登録装置１５０は、一般的な事務室に設置された文書登録装置１５０と判断する。
ＩＰアドレス欄７１０は、文書登録装置１５０のＩＰアドレスを記憶する。また、その文書登録装置１５０を特定できる情報であれば、製造番号等であってもよい。
設置場所欄７２０は、その文書登録装置１５０の設置場所を記憶する。また、文書登録装置１５０がＧＰＳ（Ｇｌｏｂａｌ  Ｐｏｓｉｔｉｏｎｉｎｇ  Ｓｙｓｔｅｍ、汎地球測位システム）を具備している場合は、緯度、経度等であってもよい。
【００２９】
案件管理モジュール１２４は、業務プロセスの進捗と予定が登録されている。つまり、利用者識別子と該利用者識別子によって特定される利用者が行うべき活動と該活動の予定日時と文書を対応させて記憶する。例えば、案件管理テーブル８００のようなテーブルで、その案件を管理している。図８は、案件管理テーブル８００のデータ構造例を示す説明図である。案件管理テーブル８００は、案件番号欄８１０、アクティビティ欄８２０、文書名欄８３０、予定日欄８４０、担当者欄８５０を有している。図８の例に示す案件管理テーブル８００では、各案件はどのアクティビティが実施中であり、その文書名、予定日と担当者は誰かが一覧されている。
【００３０】
案件番号欄８１０は、案件を特定する案件識別子である案件番号を記憶する。案件とは、個々の業務プロセスの具体的な実例をいう。
アクティビティ欄８２０は、その案件で現在実施中のアクティビティの名称を記憶する。
文書名欄８３０は、その案件で現在実施中のアクティビティの成果物として登録すべき文書名を記憶する。
予定日欄８４０は、その案件が実施されるべき予定日を記憶する。この予定日は、計画書によって定められるものである。また、予定日時を記憶するようにしてもよい。
担当者欄８５０は、その案件を担当する担当者を記憶する。この担当者は、計画書によって定められるものである。
「評価」及び「報告書作成」のアクティビティは、既に計画書が作成されているため、担当者と予定日が確定している。
【００３１】
設備管理モジュール１２５は、評価室や測定器などの評価に使用する設備の予約状況が登録されている。つまり、利用者と該利用者が行うべき活動と該利用者が利用する設備と該設備が設置されている場所と該設備を利用する予定日時を対応させて記憶する。例えば、設備管理テーブル９００のようなテーブルで、その設備を管理している。図９は、設備管理テーブル９００のデータ構造例を示す説明図である。設備管理テーブル９００は、資源欄９１０、案件番号欄９２０、予定日欄９３０、予定時刻欄９４０、担当者欄９５０を有している。
【００３２】
資源欄９１０は、設備を記憶する。また、さらに、その設備が設置されている場所を記憶する欄を設けてもよい。なお、資源欄９１０は、設備を記憶する欄とその設備が設置されている場所を記憶する欄を兼ねている。したがって、資源欄９１０は、基本的に２つの情報（設備、その設置場所）を記憶するが、１つの情報（設備、その設置場所のいずれか一方）であってもよい。例えば、部屋全体が設備となっている場合もあり、その部屋だけを記憶してもよい。より具体的には、温度、湿度等の調整が可能な環境室、音響の測定が可能な音響測定室等がある。
【００３３】
案件番号欄９２０は、その設備を用いる案件の案件番号を記憶する。
予定日欄９３０は、その設備を用いる予定日を記憶する。
予定時刻欄９４０は、その設備を用いる予定時刻を記憶する。
担当者欄９５０は、その設備を用いる担当者を記憶する。
例示のため、設備としての測定器については１件だけ記載しているが（図９の例では最終行）、１案件の評価で複数の測定器を使用することもあり、必要な種類と数の測定器が予約されることになる。
【００３４】
文書管理モジュール１２０は、文書処理装置１００の利用者を特定する利用者識別子を抽出する。例えば、利用者本人であることを確認する認証処理を行い、その利用者識別子を取得するようにしてもよい。認証処理とは、ユーザＩＤとパスワードの組、その利用者が所有しているＩＣカード等のハードウェア、指紋・虹彩・静脈等の人間の身体的特徴を用いたバイオメトリクス、電子認証等を使って行う。
【００３５】
また、文書管理モジュール１２０は、現在の日時を取得する。例えば、文書処理装置１００内に内蔵されている時計から現在の日時を取得するようにしてもよいし、通信回線を介して他のシステムから取得するようにしてもよい。
また、文書管理モジュール１２０は、利用者が利用している文書登録装置１５０の設置場所を取得するようにしてもよい。例えば、文書登録装置１５０のＩＰアドレスを取得して、設置場所定義テーブル７００から対応する設置場所を取得するようにしてもよいし、ＧＰＳを用いて、緯度、経度等を設置場所としてもよいし、緯度、経度と設置場所を対応させているテーブルを用いて、ＧＰＳから得た緯度、経度から設置場所を取得するようにしてもよい。
【００３６】
また、文書管理モジュール１２０は、前記取得された利用者識別子と前記取得された日時に基づいて、前記利用者識別子によって特定される利用者が処理することと予定されている文書を特定する。
さらに、前記取得された設置場所に基づいて、前記利用者が処理することと予定されている文書を特定するようにしてもよい。
前記取得された設置場所が予め定められた場所である場合は、前記取得された利用者識別子と前記取得された日時に基づいて、前記利用者が処理することと予定されている文書を特定するようにしてもよい。例えば、予め定められた場所として、事務室等が該当する。
【００３７】
前記取得された利用者識別子と、前記取得された日時と予め定められた関係にある予定日時に対応付けられて案件管理モジュール１２４に記憶されている文書を抽出して、その利用者が処理することと予定されている文書を特定するようにしてもよい。
なお、「取得された日時と予め定められた関係にある予定日時」としては、例えば、その取得日時の日と合致する予定日時、その取得日時以降の予定日時、その取得日時より予め定められた期間だけ以前から以降の予定日時、その取得日時を含めるように予め定められた期間内にある予定日時等がある。
【００３８】
また、文書管理モジュール１２０は、前記取得された利用者識別子と前記取得された日時と予め定められた関係にある予定日時に対応付けられて設備管理テーブル９００に記憶されている設備の場所が、前記取得された設置場所と合致する場合は、該設備の場所に対応している活動と前記取得された利用者識別子と前記日時と予め定められた関係にある予定日時に対応付けられて案件管理テーブル８００に記憶されている文書を抽出して、該利用者が処理することと予定されている文書を特定するようにしてもよい。
【００３９】
また、文書管理モジュール１２０は、取得された文書の属性を抽出する。例えば、属性として、その文書の文書名、担当者等があり、これらを案件管理モジュール１２４内の案件管理テーブル８００から抽出する。
【００４０】
また、文書管理モジュール１２０は、文書登録装置１５０の文書登録モジュール１７０から文書を受け付ける。文書登録装置１５０の文書登録モジュール１７０は、文書を受け付けて、その文書を文書処理装置１００の文書管理モジュール１２０へ送信する。文書登録モジュール１７０が、例えば、文書としての画像を受け付けるとは、文書登録装置１５０のスキャナで画像を読み込むこと、ファックスで画像を受信すること、画像データベース等から画像を読み出すこと等が含まれる。画像には、２値画像、多値画像（カラー画像を含む）が含まれている。その画像は、１枚であってもよいし、複数枚であってもよい。
【００４１】
また、文書管理モジュール１２０は、前記受け付けられた文書に、前記抽出された属性を付与する。そして、その属性が付与された文書を文書登録モジュール１３０に渡す。
【００４２】
文書登録モジュール１３０は、文書管理モジュール１２０によって属性を付与された文書を登録する。例えば、文書処理装置１００と通信回線を介して接続されている文書管理システム２１０等に登録してもよい。
そして、属性が付与された文書を記憶する。例えば、文書管理テーブル１０００のようなテーブルを用いて記憶する。図１０は、文書管理テーブル１０００のデータ構造例を示す説明図である。文書管理テーブル１０００は、案件番号欄１０１０、文書名欄１０２０、画像ファイル名欄１０３０、付加属性欄１０４０を有している。
【００４３】
案件番号欄１０１０は、案件番号を記憶する。
文書名欄１０２０は、その案件で登録した文書名を記憶する。これが属性の一部になる。
画像ファイル名欄１０３０は、その案件で登録した文書の実体名（記憶場所を示すもの）を記憶する。例えば、文書登録装置１５０が文書読取装置である場合、読み取った画像のファイル名を記憶する。この他、ＵＲＬ（Ｕｎｉｆｏｒｍ  Ｒｅｓｏｕｒｃｅ  Ｌｏｃａｔｏｒ）等であってもよい。
付加属性欄１０４０は、その他の属性を記憶する。例えば、アクティビティの名称、担当者等であってもよい。
【００４４】
図３は、本実施の形態を実現するにあたってのシステム全体の構成例を示す構成図である。
文書処理装置１００、文書登録装置１５０、文書管理システム２１０は、通信回線２９９を介して接続されている。なお、図３に示す例では、文書処理装置１００、文書登録装置１５０、文書管理システム２１０は１つであるが、いずれかの装置、またはシステムは、複数であってもよい。
文書管理システム２１０には、文書処理装置１００の文書登録モジュール１３０によって文書が登録される。その文書には、属性が付与されている。
【００４５】
図４は、業務プロセスの計画とその活動において発生する文書を示す説明図である。また、この業務プロセスは製品安全評価サービスであり、これは、顧客３１０からの評価依頼に応じて２つの部門（管理部門３２０、検査部門３３０）にて実施されるものである。
【００４６】
ステップＳ３５１では、顧客３１０が管理部門３２０に評価依頼を行う。
ステップＳ３５２では、管理部門３２０が顧客３１０から評価依頼書３２１を受領し、案件番号を採番（例えば、案件番号を連番で順次生成する）して案件がスタートする。ここで登録すべき文書として評価依頼書３２１がある。
ステップＳ３５３では、検査部門３３０が案件ごとに評価計画書３３１を作成する。ここで登録すべき文書として評価計画書３３１がある。
【００４７】
ステップＳ３５４では、検査部門３３０が評価計画書３３１にしたがって評価を実施し、その結果をデータシート３３２に記入する。ここで登録すべき文書としてデータシート３３２がある。
ステップＳ３５５では、検査部門３３０がデータシート３３２をもとに、評価結果を評価報告書３３３にまとめる。ここで登録すべき文書として評価報告書３３３がある。
ステップＳ３５６では、管理部門３２０が顧客３１０に評価報告書３３３を納品し、納品書３２２を受領する。ここで登録すべき文書として納品書３２２がある。
ステップＳ３５７では、顧客３１０が評価報告書３３３を受領する。
【００４８】
図１１は、本実施の形態による文書の一覧表示処理例を示すフローチャートである。
ステップＳ１１０２では、文書管理モジュール１２０が、文書処理装置１００を利用する利用者の識別子であるログイン名を取得する。例えば、文書登録装置１５０に具備されているＩＣカードリーダーによって、ＩＣカード内に記憶されているログイン名を取得する。文書処理装置１００は、予め定められたログイン名（他に、部門に属している者という条件であってもよい）でなければ利用できないように設定されていてもよい。これによって、文書処理装置１００を利用する利用者（担当者）が判明し、さらに役割定義モジュール１２２内の役割定義テーブル６００によって、その役割も判明する。
【００４９】
ステップＳ１１０４では、文書管理モジュール１２０が、文書登録装置１５０の設置場所を取得する。例えば、文書管理モジュール１２０が文書登録装置１５０のＩＰアドレスを取得して、設置場所定義モジュール１２３内の設置場所定義テーブル７００を用いて、そのＩＰアドレスから設置場所を取得する。
【００５０】
ステップＳ１１０６では、文書管理モジュール１２０が、文書処理装置１００にログインした利用者（担当者）が実施予定のアクティビティを検索する。例えば、文書管理モジュール１２０が、案件管理モジュール１２４内の案件管理テーブル８００を用いて、ステップＳ１１０２で取得したログイン名から判明する利用者（担当者）に対応するアクティビティの案件番号を抽出する。そして、文書管理モジュール１２０が、現在の日時を取得して、現在の日時と予め定められた関係にある予定日時に対応するものを抽出する。
【００５１】
ステップＳ１１０８では、文書管理モジュール１２０が、ステップＳ１１０６で抽出したアクティビティに対して、文書登録装置１５０の設置場所による絞り込みを行う。例えば、文書管理モジュール１２０が、設備管理モジュール１２５内の設備管理テーブル９００を用いて、ステップＳ１１０２で取得したログイン名から判明する利用者（担当者）とステップＳ１１０６で取得した現在の日時と予め定められた関係にある予定日時に対応するものの資源の設置場所を抽出する。そして、その設置場所が、ステップＳ１１０４で取得した文書登録装置１５０の設置場所と合致する場合は、案件管理モジュール１２４内の案件管理テーブル８００を用いて、設備管理テーブル９００内でその設置場所に対応する案件番号とステップＳ１１０２で取得したログイン名から判明する利用者（担当者）とステップＳ１１０６で取得した現在の日時と予め定められた関係にある予定日時に対応する文書を抽出する。
【００５２】
ステップＳ１１１０では、一覧表示モジュール１１０が、ステップＳ１１０８で抽出した文書に対して予定日が現在の日時に近いものからソートして、案件番号、文書名の一覧を、文書登録装置１５０のディスプレイに表示する。そして、表示された一覧の中から、利用者（担当者）の操作に応じて文書が選択される。
【００５３】
図１２は、本実施の形態による文書の登録処理例を示すフローチャートである。この処理は、図１１の例に示したフローチャートによる処理が終了した後に行われる。
ステップＳ１２０２では、文書管理モジュール１２０が、文書登録装置１５０を操作する利用者がスキャンした紙文書の画像を受信する。
ステップＳ１２０４では、文書管理モジュール１２０が、案件管理モジュール１２４内の案件管理テーブル８００から、選択された文書（選択された文書に対応する案件番号であってもよい）の属性（例えば、文書名等）を取得する。
ステップＳ１２０６では、文書登録モジュール１３０が、ステップＳ１２０４で取得した属性を付与して、ステップＳ１２０２で受信したスキャン文書を文書管理システム２１０に登録する。
【００５４】
図１３は、文書登録画面１３００の表示例を示す説明図である。これは、一覧表示モジュール１１０が、文書管理モジュール１２０によって抽出された文書の一覧を、文書登録装置１５０のディスプレイに表示した例である。
文書登録画面１３００には、担当者名欄１３１０、すべて表示ボタン１３２０、現在日時欄１３３０、案件テーブル１３４０を表示する。
担当者名欄１３１０には、文書処理装置１００にログインした利用者名を表示する。
すべて表示ボタン１３２０が、利用者の操作によって選択された場合は、案件テーブル１３４０に表示されている文書以外の文書を表示する。詳細については図１４に示す例を用いて説明する。
現在日時欄１３３０には、現在の日時を表示する。
【００５５】
案件テーブル１３４０は、案件番号欄１３４１、文書名欄１３４２、操作欄１３４３を有しており、文書管理モジュール１２０によって抽出された文書の案件番号と文書名を表示する。また、操作欄１３４３には、登録ボタン１３４４を表示しており、これが利用者の操作によって選択された場合は、紙の文書をスキャンして、そのスキャンした文書に対して、選択された登録ボタン１３４４に対応する文書の属性を付与して格納する。
【００５６】
より具体的には、図１３に示す例は、担当者：鈴木が評価室Ｂにある文書登録装置１５０を操作して文書処理装置１００にログインし、現在が２００８年９月２日１７時５０分の状態のものである。この時間と場所で、担当者：鈴木は、「ＩＴ−００４」の評価を予定しているため（図８の例に示す案件管理テーブル８００及び図９の例に示す設備管理テーブル９００参照）、案件番号：ＩＴ−００４、文書名：データシートを表示する。ここで、登録ボタン１３４４が選択されると、文書登録装置１５０にセットされている紙の文書をスキャンする。この情報（選択された登録ボタン１３４４に対応する案件番号等、スキャンされた文書の画像）を文書登録装置１５０の文書登録モジュール１７０が、文書処理装置１００へ送信し、文書処理装置１００が登録処理を行う。つまり、案件テーブル１３４０内の「案件番号」と「文書名」等を文書に属性として付与して、文書管理システム２１０に登録する。
また、文書登録画面１３００には表示しないが、「顧客名」（図４の例に示した顧客３１０）などの属性を予め「依頼受理」（ステップＳ３５２）などのアクティビティで案件管理テーブル８００に登録しておき、その属性も文書に付与するようにしてもよい。
【００５７】
図１４は、図１３の例に示す状態からすべて表示ボタン１３２０が選択された場合の文書登録画面１３００の表示例を示す説明図である。
案件テーブル１３４０内に、登録すべき文書として２つの候補を表示している。これは、同じ評価室Ｂで実施予定だが、予定日時が現在時刻と異なる案件番号：ＩＴ−００８も候補として表示する。なお、案件番号：ＩＴ−００４、案件番号：ＩＴ−００６、案件番号：ＩＴ−００８は、担当者：鈴木であって、予定日時が現在日の午前０時以降の関係（つまり、現在日時と予定日時が予め定められた関係の具体例）にある場合である（図８の例に示す案件管理テーブル８００参照）。しかし、図１３、図１４、どちらの場合も、案件番号：ＩＴ−００６は評価室が異なるため表示しない。
そして、登録ボタン１３４５が利用者の操作によって選択された場合は、紙の文書をスキャンして、そのスキャンした文書に対して、選択された登録ボタン１３４５に対応する文書の属性（「案件番号」、「文書名」等）を付与して格納する。
【００５８】
図１５は、文書登録画面１５００の表示例を示す説明図である。これは、図１３に示す例と同様に、一覧表示モジュール１１０が、文書管理モジュール１２０によって抽出された文書の一覧を、文書登録装置１５０のディスプレイに表示した例である。
文書登録画面１５００には、担当者名欄１５１０、すべて表示ボタン１５２０、現在日時欄１５３０、案件テーブル１５４０を表示する。これらは、図１３の例に示した担当者名欄１３１０、すべて表示ボタン１３２０、現在日時欄１３３０、案件テーブル１３４０と同様のものである。
より具体的には、図１５に示す例は、担当者：鈴木が、一般的な事務室内（図７の例に示す設置場所定義テーブル７００の設置場所欄７２０が空欄）にある文書登録装置１５０を操作して文書処理装置１００にログインし、現在が２００８年９月３日１５時１０分の状態のものである。担当者：鈴木であって、この日に予定（つまり、現在日時の日と合致する予定日時のものであり、現在日時と予定日時が予め定められた関係の具体例）している案件番号：ＩＴ−００１の評価報告書を案件テーブル１５４０に表示している。
【００５９】
図１６は、図１５の例に示す状態からすべて表示ボタン１５２０が選択された場合の文書登録画面１５００の表示例を示す説明図である。一般的な事務室内にある文書登録装置１５０は設置場所による絞り込みを行わない。したがって、担当者：鈴木であって、現在日時から２日前以降の予定日時（現在日時と予定日時が予め定められた関係の具体例）の案件の４件（ＩＴ−００１の評価報告書、ＩＴ−００４のデータシート、ＩＴ−００６のデータシート、ＩＴ−００８のデータシート）を、予定日時が現在日時と近い順に候補として一覧表示する。
【００６０】
図１７を参照して、本実施の形態の文書処理装置１００、文書登録装置１５０、文書管理システム２１０のハードウェア構成例について説明する。図１７に示す構成は、例えば組み込み型のコンピュータなどによって構成されるものであり、スキャナ等のデータ読み取り部１７１７と、プリンタなどのデータ出力部１７１８を備えたハードウェア構成例を示している。
【００６１】
ＣＰＵ（Ｃｅｎｔｒａｌ  Ｐｒｏｃｅｓｓｉｎｇ  Ｕｎｉｔ）１７０１は、前述の実施の形態において説明した各種のモジュール、すなわち、一覧表示モジュール１１０、文書管理モジュール１２０、文書登録モジュール１３０等の各モジュールの実行シーケンスを記述したコンピュータ・プログラムにしたがった処理を実行する制御部である。
【００６２】
ＲＯＭ（Ｒｅａｄ  Ｏｎｌｙ  Ｍｅｍｏｒｙ）１７０２は、ＣＰＵ１７０１が使用するプログラムや演算パラメータ等を格納する。ＲＡＭ（Ｒａｎｄｏｍ  Ａｃｃｅｓｓ  Ｍｅｍｏｒｙ）１７０３は、ＣＰＵ１７０１の実行において使用するプログラムや、その実行において適宜変化するパラメータ等を格納する。これらはＣＰＵバスなどから構成されるホストバス１７０４により相互に接続されている。
【００６３】
ホストバス１７０４は、ブリッジ１７０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１７０６に接続されている。
【００６４】
キーボード１７０８、マウス等のポインティングデバイス１７０９は、操作者により操作される入力デバイスである。ディスプレイ１７１０は、液晶表示装置又はＣＲＴ（Ｃａｔｈｏｄｅ  Ｒａｙ  Ｔｕｂｅ）などがあり、各種情報をテキストやイメージ情報として表示する。
【００６５】
ＨＤＤ（Ｈａｒｄ  Ｄｉｓｋ  Ｄｒｉｖｅ）１７１１は、ハードディスクを内蔵し、ハードディスクを駆動し、ＣＰＵ１７０１によって実行するプログラムや情報を記録又は再生させる。ハードディスクには、受け付けられた文書の画像や案件管理テーブル８００等が格納される。さらに、その他の各種のデータ処理プログラム等、各種コンピュータ・プログラムが格納される。
【００６６】
ドライブ１７１２は、装着されている磁気ディスク、光ディスク、光磁気ディスク、又は半導体メモリ等のリムーバブル記録媒体１７１３に記録されているデータ又はプログラムを読み出して、そのデータ又はプログラムを、インタフェース１７０７、外部バス１７０６、ブリッジ１７０５、及びホストバス１７０４を介して接続されているＲＡＭ１７０３に供給する。リムーバブル記録媒体１７１３も、ハードディスクと同様のデータ記録領域として利用可能である。
【００６７】
接続ポート１７１４は、外部接続機器１７１５を接続するポートであり、ＵＳＢ、ＩＥＥＥ１３９４等の接続部を持つ。接続ポート１７１４は、インタフェース１７０７、及び外部バス１７０６、ブリッジ１７０５、ホストバス１７０４等を介してＣＰＵ１７０１等に接続されている。通信部１７１６は、ネットワークに接続され、外部とのデータ通信処理を実行する。データ読み取り部１７１７は、例えばスキャナであり、ドキュメントの読み取り処理を実行する。データ出力部１７１８は、例えばプリンタであり、ドキュメントデータの出力処理を実行する。
【００６８】
なお、図１７に示す文書処理装置１００、文書登録装置１５０、文書管理システム２１０のハードウェア構成は、１つの構成例を示すものであり、本実施の形態は、図１７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１７に示すシステムが複数互いに通信回線によって接続されていて互いに協調動作するようにしてもよい。また、複写機、ファックス、スキャナ、複合機（スキャナ、プリンタ、複写機、ファックス等のいずれか２つ以上の機能を有している画像処理装置）などに組み込まれていてもよい。
【００６９】
前記実施の形態においては、文書を特定するのに、現在日時と予定日時との関係を用いる場合を示したが、さらに、登録されていない文書を対象とするようにしてもよい。例えば、文書管理モジュール１２０は、登録された文書を、案件管理モジュール１２４内の案件管理テーブル８００から削除して、未登録の文書のみが案件管理テーブル８００内に残るようにしてもよい。
【００７０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【図面の簡単な説明】
【００７１】
【図１】本実施の形態の構成例についての概念的なモジュール構成図である。
【図２】文書登録装置の構成例についての概念的なモジュール構成図である。
【図３】本実施の形態を実現するにあたってのシステム全体の構成例を示す構成図である。
【図４】業務プロセスの計画とその活動において発生する文書を示す説明図である。
【図５】アクティビティ定義テーブルのデータ構造例を示す説明図である。
【図６】役割定義テーブルのデータ構造例を示す説明図である。
【図７】設置場所定義テーブルのデータ構造例を示す説明図である。
【図８】案件管理テーブルのデータ構造例を示す説明図である。
【図９】設備管理テーブルのデータ構造例を示す説明図である。
【図１０】文書管理テーブルのデータ構造例を示す説明図である。
【図１１】本実施の形態による文書の一覧表示処理例を示すフローチャートである。
【図１２】本実施の形態による文書の登録処理例を示すフローチャートである。
【図１３】文書登録画面の表示例を示す説明図である。
【図１４】すべて表示ボタンが選択された場合の文書登録画面の表示例を示す説明図である。
【図１５】文書登録画面の表示例を示す説明図である。
【図１６】すべて表示ボタンが選択された場合の文書登録画面の表示例を示す説明図である。
【図１７】本実施の形態を実現するコンピュータのハードウェア構成例を示すブロック図である。
【符号の説明】
【００７２】
１００…文書処理装置
１１０…一覧表示モジュール
１２０…文書管理モジュール
１２１…アクティビティ定義モジュール
１２２…役割定義モジュール
１２３…設置場所定義モジュール
１２４…案件管理モジュール
１２５…設備管理モジュール
１３０…文書登録モジュール
１５０…文書登録装置
１６０…一覧表示モジュール
１７０…文書登録モジュール
２１０…文書管理システム
２９９…通信回線
【図１】
2010152780.tif 000003
【図２】
2010152780.tif 000004
【図３】
2010152780.tif 000005
【図４】
2010152780.tif 000006
【図５】
2010152780.tif 000007
【図６】
2010152780.tif 000008
【図７】
2010152780.tif 000009
【図８】
2010152780.tif 000010
【図９】
2010152780.tif 000011
【図１０】
2010152780.tif 000012
【図１１】
2010152780.tif 000013
【図１２】
2010152780.tif 000014
【図１３】
2010152780.tif 000015
【図１４】
2010152780.tif 000016
【図１５】
2010152780.tif 000017
【図１６】
2010152780.tif 000018
【図１７】
2010152780.tif 000019